(57)【要約】      （修正有）【課題】軽量コンパクト化ができ長期間の利用が可能になり、目次ページの導入により検索したい項目が書かれたページを容易に見つけることができる多年用日記帳を提供する。【解決手段】多年用日記帳の記事記載ページは各ページに西暦と和暦を記載する欄を有し、１月〜６月の枠入り左ページと７月〜１２月の枠入り右ページが見開きになっていて、ここに事柄を記載し、下部には記事記載ページのページ番号４が印刷されている。使用者が西暦と和暦を記載することにより記入する事柄が無い年を省くごとができページ数を削減できる。【選択図】図１
0003213979.tif 000002
【実用新案登録請求の範囲】
【請求項１】
多年用日記帳は記事記載ページの各ページに西暦と和暦を記載する欄を有し、１月〜６月の枠入り左ページと７月〜１２月の枠入り右ページが見開きになっていて、ここに事柄を記載し、下部には記事記載ページのページ番号が印刷されており、西暦と和暦を使用者が記載することにより記入する事柄が無い年を省くごとができページ数を削減できる、これにより多年用日記帳の軽量コンパクト化ができ長期間の利用が可能ことを特徴とする多年用日記帳。
【請求項２】
開始日と終了日と複数の引き継ぎ日を記入する日付記入欄と記入者名を記入する名前記入欄を設けた記入履歴表を備えており、それにより代々引き継ぎバトンタッチしていく伝達本になり企業では社長から次期社長に出来事を伝達し、家族では祖父母、両親、本人、子供、孫へと繋いで行ける記録本になることを特徴とする請求項１に記載の多年用日記帳。
【請求項３】
ページ番号と西暦とタイトルを記載する複数の欄を持つ目次ページを備え、そしてこのページ番号が記事記載ページのページ番号と連動しており、記事記載ページを容易に検索でき大変便利であることを特徴とする請求項１または２に記載の多年用日記帳。
【請求項４】
記事記載ページの各ページに西暦と和暦を記入するときに役立つ多年分の西暦と和暦と干支の印刷された年号早見表を持つことを特徴とする請求項１〜３のいずれか１項に記載の多年用日記帳。
【請求項５】
美しい古渡更紗柄の布地でできた表紙を備え、美しくまた上製本の製本の技術保存に役立つことを特徴とする請求項１〜４のいずれか１項に記載の多年用日記帳。
【考案の詳細な説明】
【技術分野】
【０００１】  本考案は多年分の記事が一覧できるページからなる多年用日記帳に関するものである。
本考案は数百年に亘り企業・家族の過去・現在・未来への伝達・記録や行事を次代に受け継がせる事のできる伝達本であり、記録本である。自筆で書きのこす唯一の本である。この多年用日記帳は代々受け継がれていくことを基本としているため過去から始められる伝達本になり「過去・現在・未来」の多年史になる。
【背景技術】
【０００２】  従来ある日記帳は１年、５年、１０年の期間しか記述できません。もっと長期利用出来るような日記帳となると膨大なページ数が必要となり、また書かれた記事を検索したい時に時間を要すことになる。
【先行技術文献】
【特許文献】
【０００３】
【特許文献１】実開平５−６８６７０号広報
【考案の概要】
【考案が解決しようとする課題】
【０００４】  １００年を超えるような多年の日記となれば日常の記録が主体となると膨大なページ数が必要となり容積と重さも増え、取り扱いが難しくなる。また何処に何が書いてあるかを探すのも困難である。そこで本考案の目的は目次ページを設け各年の重要な項目を記載するページを確保することにより検索もしやすく、また記載記事のある時のみ記入することによりページ数を大幅に削減できる多年用日記帳を提供することである。
【課題を解決するための手段】
【０００５】  請求項１記載の多年用日記帳は記事記載ページの各ページに西暦と和暦を記載する欄を有し、１月〜６月の枠入り左ページと７月〜１２月の枠入り右ページが見開きになっていて、ここに事柄を記載し、下部には記事記載ページのページ番号が印刷されており、記載の必要な年だけ西暦と和暦を使用者が記入し、何も伝達する事柄のない年は省けるので１００年を超える軌跡を遺すことができる多年用日記帳の軽量コンパクト化が可能になる。【０００６】  請求項２記載の多年用日記帳は開始日と終了日と複数の引き継ぎ日を記入する日付記入欄と記入者名を記入する名前記入欄を設けた記入履歴表を備えており、企業用としては社長から次期社長へのバトン、タッチや出来事の引継ぎの伝達本となり家族用としては祖父母、両親、本人、子供、孫へとつないで行ける今までにない記録本になる。【０００７】  請求項３記載の多年用日記帳はページ番号欄と西暦記載欄とタイトル記載欄を設けた目次ページが有り、しかもそのページ番号欄の数と請求項１の記事記載のページのページ番号が連動しているので目次ページを見ればすぐに探したいページを見つけられます。そして長期間の目次ページとして対応できる。【０００８】  請求項４記載の多年用日記帳は多年分の西暦、和暦、干支の年号早見表が付いていますので記載するときに重宝する。【０００９】請求項５記載の多年用日記帳は美術的にも素晴らしい古渡更紗柄の布地でできた表紙なので美しく利用するのが楽しくなります。また上製本の製本技術に役立つ。
【考案の効果】
【００１０】  長期間利用できる日記帳でありながら軽量コンパクトで目次付きで出来事記載ページの検索も用意にでき企業の重要な伝達事項にも使え記録、歴史にもなり社史を作るときに重宝する。また、一個人の日記だったものが家族の日記になり子孫へ引き継がれ幾世代に亘る家族史となる。
【図面の簡単な説明】
【００１１】
【図１】本考案の多年用日記帳の見開きページの構成を示す図である。
【図２】図１の部分拡大図である。
【図３】本考案の多年用日記帳の目次ページの構成を示す図である。
【図４】図３の部分拡大図である。
【図５】本考案の多年用日記帳の西暦と和暦と干支の年号早見表の構成を示す図である。
【図６】図５の部分拡大図である。
【図７】本考案の多年用日記帳の開始日と終了日と複数の引き継ぎ日を記入する日付記入欄と記入者名を記入する名前記入欄を設けた記入履歴表を示す図である。
【図８】表紙の古渡更紗柄の一例を示す図である。
【考案を実施するための形態】
【００１２】  以下図面を用いて本考案の実施例を説明する。
【実施例】
【００１３】  図１は本考案の多年用日記帳の記事記載ページを示す図であり見開きのページで１年分になる。左のページに１月〜６月、右のページに７月〜１２月の配置のページ番号４が付いている。
図２（図１の部分拡大図）は上段に西暦年号を書き込む西暦年号記入欄１と和暦年号を書き込む和暦年号記入欄２があり、ここに出来事のあった年号を記入する。月が印刷された項目の記事記入欄３に事柄を書き込む（例えば個人なら子供の入学とか会社なら○○製品発売日とか）。【００１４】  図３は本考案の多年用日記帳の目次ページを示す図である。
図４は図３の部分拡大図である。図１記事記載ページの下部にページ番号４が記入されていますのでこのページ番号と同じ番号の目次ページに印刷されたページ番号７の西暦年号記入欄５に例えば２０１８年と記入し記事のタイトル記入欄６に例えば増資決定、太郎入学式というタイトルを記入する。この目次ページのページ番号から記事が書かれたページを簡単に探す事が出来る。【００１５】  図５は本考案の多年用日記帳の記入時、検索時に参考になる西暦、和暦、干支の年号早見表である。
図６は図５の部分拡大図で西暦欄８、和暦欄９、干支欄１０を示す。【００１６】  図７は本考案の多年用日記帳の開始日と引継ぎ日と終了日を書き込める記入履歴表で、開始日欄１１に開始日の年月日と記入者名前を記入できる日付記入欄１５と名前入欄１４を設けている。また引継ぎ日欄１２も年月日と記入者の日付と名前を記入できる日付記入欄１５と名前入欄１４を設けています。そして終了日欄１３にも年月日と記入者の名前を記入できる日付記入欄１５と名前入欄１４を設けていることを特徴とする。【００１７】  図８は本考案の多年用日記帳の表紙に使用する古渡更紗柄の一例を示す図である。古渡更紗柄の布地を使うことによって何年たっても飽きの来ない上品で美しく長年使い続けられる日記帳になる。
上記で説明したように書きたい事柄、伝達したい大切な事柄だけを記述できる様にして記述のない年のページを省く事が出来る。これによりページ数の縮小ができ軽量でコンパクトな取り扱いがし易くなり、また目次ページの導入により検索したい項目が書かれたページを容易に見つけることができこの日記帳の利便性が大きく向上する。記事を記載できる期間が増長できることにより企業の場合では社長から次の社長に移行する時に過去の出来事を伝達する伝達本としても部署の引継ぎ事項の記録本としても利用でき幅広く活用することが出来る。個人の場合は祖父母、両親、本人、子供、孫と繋いで行ける今までにない、思い出の詰まった日記、記録本になる。いずれも自筆なので感慨深いものがあり、この日記は肝心なことを記録として伝えることができ、社史や個人史を制作するときに役立ち活用できまる。特に過去を知ることは根拠を知ることになる。ひと月の枠内に日付を書いて大切な文章を記録する。バトンタッチされていきますので自分の知らない過去を知ることになる。繋いで行ける過去にない、伝達本です。遡れるところまで来たときが最初のページになり。記事記載ページと連動する目次ページが付いているので記事記載のページを探したい時に素早く探せます、また１８５１年から２１５０年までの３００年間の西暦と和暦と干支を記載した年号早見表が付いていますので記入時や過去や未来を調べるときに一目瞭然です。巻頭には記入履歴表が付いるので記入者の変遷もわかる。また未来の予定を記入しておくこともできます。社訓や家訓を書き遺すことができます。創業記念や新社屋のお祝いの来場者に記念品として使うこともできます。また古渡更紗柄を表紙に用いたため美しく仕上がり贈答品としても喜ばれる伝達本になるまた。祝賀会の記念品や御結婚・御出産・御入学・就職祝いの内祝い。お中元お歳暮などに利用していただけます。自分史としても多年用日記帳を利用することができます。
【産業上の利用可能性】
【００１８】本考案の多年用日記帳は社史や個人史を制作するときに大変重宝する。創業者が現存するときは、社長から次の社長に伝達する事案、部長から部長へ伝達しておきたい事案等を同レベルからの伝達に重宝する。また部署では引継ぎ事項の記録本としても活用でき、上下関係でなく横並びの伝達方法に活用できる。個人、家族でも祖父母、両親、本人、子供、孫へと受け継がれる思い出の詰まった記録本として利用できる。
【符号の説明】
【００１９】  １  記事記載ページの西暦年号記入欄
２  記事記載ページの和暦年号記入欄
３  記事記載ページの記事記入欄
４  記事記載ページのページ番号
５  目次ページの西暦年号記入欄
６  目次ページのタイトル記入欄
７  目次ページのページ番号
８  あらかじめ印刷してある年号早見表の西暦欄
９  あらかじめ印刷してある年号早見表の和暦欄
１０  あらかじめ印刷してある年号早見表の干支欄
１１  記入履歴表の開始日記入欄
１２  記入履歴表の引継ぎ日記入欄
１３  記入履歴表の終了日記入欄
１４  記入履歴表の名前記入欄
１５  記入履歴表の日付記入欄
【図１】
0003213979.tif 000003
【図２】
0003213979.tif 000004
【図３】
0003213979.tif 000005
【図４】
0003213979.tif 000006
【図５】
0003213979.tif 000007
【図６】
0003213979.tif 000008
【図７】
0003213979.tif 000009
【図８】
0003213979.tif 000010